【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
クライアント装置と通信する情報処理装置において、
ドライバ情報をインストールするクライアント装置を認識する認識手段と、
前記クライアント装置からのドライバ情報の送信要求を待つことなく、ドライバ情報を送信する処理を制御する送信制御手段とを有し、
前記送信制御手段は、前記ドライバ情報の印刷処理に関わるプロパティ情報を送信する処理をさらに制御することを特徴とする情報処理装置。
【請求項２】
前記送信制御手段は、前記ドライバ情報のセットアップ指示を配信する処理をさらに制御することを特徴とする請求項１に記載の情報処理装置。
【請求項３】
前記セットアップ指示は、前記クライアント装置が前記プロパティ情報をＯＳに登録するよう前記クライアント装置を制御するためのセットアップ指示を含むものであることを特徴とする請求項２に記載の情報処理装置。
【請求項４】
前記セットアップ指示は、前記ドライバ情報が前記プロパティ情報を読み込むように前記ドライバ情報を制御する指示を含むことを特徴とする請求項２又は３に記載の情報処理装置。
【請求項５】
前記プロパティ情報をＯＳに登録される印刷装置ごとに管理する管理手段をさらに含み、
前記送信制御手段は、前記印刷装置に対応するプロパティ情報を配信する処理を制御することを特徴とする請求項１乃至４のいずれかに記載の情報処理装置。
【請求項６】
前記送信制御手段は、前記プロパティ情報を前記情報処理装置におけるドライバ設定開始の指示の入力に応答して前記情報処理装置が配信する処理を制御することを特徴とする請求項１乃至５のいずれかに記載の情報処理装置。
【請求項７】
前記情報処理装置は、前記情報処理装置内において前記情報処理装置内のドライバ情報が生成した前記プロパティ情報を、自動的に読み込んで前記クライアント装置に配信することを特徴とする請求項１乃至６のいずれかに記載の情報処理装置。
【請求項８】
前記セットアップ指示は、シンプル・オブジェクト・アクセス・プロトコルによって実現されていることを特徴とする請求項２乃至４のいずれかに記載の情報処理装置。
【請求項９】
前記送信制御手段は、前記情報処理装置におけるセットアップ指示に応答して前記プロパティ情報を送信する処理を制御することを特徴とする請求項２乃至４のいずれかの請求項に記載の、又は請求項８に記載の情報処理装置。
【請求項１０】
前記送信制御手段は、前記ドライバ情報と共に、前記クライアント装置に前記プロパティ情報を送信する処理を制御することを特徴とする請求項１乃至９のいずれかに記載の情報処理装置。
【請求項１１】
前記送信制御手段は、前記クライアント装置からのプロパティ情報の送信要求に応答して、前記プロパティ情報を送信する処理を制御することを特徴とする請求項１乃至９のいずれかに記載の情報処理装置。
【請求項１２】
クライアント装置と通信する情報処理装置における方法において、
ドライバ情報をインストールするクライアント装置を認識する認識工程と、
前記クライアント装置からのドライバ情報の送信要求を待つことなく、ドライバ情報を送信する処理を制御する送信制御工程とを有し、
前記送信制御工程は、前記ドライバ情報の印刷処理に関わるプロパティ情報を送信する処理をさらに制御することを特徴とする情報処理方法。
【請求項１３】
前記送信制御工程は、前記ドライバ情報のセットアップ指示を配信する処理をさらに制御することを特徴とする請求項１２に記載の情報処理方法。
【請求項１４】
前記セットアップ指示は、前記クライアント装置が前記プロパティ情報をＯＳに登録するよう前記クライアント装置を制御するためのセットアップ指示を含むものであることを特徴とする請求項１３に記載の情報処理方法。
【請求項１５】
前記セットアップ指示は、前記ドライバ情報が前記プロパティ情報を読み込むように前記ドライバ情報を制御する指示を含むことを特徴とする請求項１３又は１４に記載の情報処理方法。
【請求項１６】
前記プロパティ情報をＯＳに登録される印刷装置ごとに管理する管理工程をさらに含み、
前記送信制御工程は、前記印刷装置に対応するプロパティ情報を配信する処理を制御することを特徴とする請求項１２乃至１５に記載の情報処理方法。
【請求項１７】
前記送信制御工程は、前記プロパティ情報を前記情報処理装置におけるドライバ設定開始の指示の入力に応答して配信する処理を制御することを特徴とする請求項１２乃至１６のいずれかに記載の情報処理方法。
【請求項１８】
前記情報処理装置は、前記情報処理装置内において前記情報処理装置内のドライバ情報が生成した前記プロパティ情報を、自動的に読み込んで前記クライアント装置に配信することを特徴とする請求項１２乃至１７のいずれかに記載の情報処理方法。
【請求項１９】
前記セットアップ指示は、シンプル・オブジェクト・アクセス・プロトコルによって実現されていることを特徴とする請求項１３乃至１５のいずれかに記載の情報処理方法。
【請求項２０】
前記送信制御工程は、前記情報処理装置におけるセットアップ指示に応答して前記プロパティ情報を送信する処理を制御することを特徴とする請求項１３乃至１５のいずれかの請求項に記載の、又は、請求項１９に記載の情報処理方法。
【請求項２１】
前記送信制御工程は、前記ドライバ情報と共に、前記クライアント装置に前記プロパティ情報を送信する処理を制御することを特徴とする請求項１２乃至２０のいずれかに記載の情報処理方法。
【請求項２２】
前記送信制御工程は、前記クライアント装置からのプロパティ情報の送信要求に応答して、前記プロパティ情報を送信する処理を制御することを特徴とする請求項１２乃至２１のいずれかに記載の情報処理方法。
【請求項２３】
クライアント装置と通信する情報処理装置において実行される制御プログラムにおいて、
ドライバ情報をインストールするクライアント装置を認識する認識工程と、
前記クライアント装置からのドライバ情報の送信要求を待つことなく、ドライバ情報、並びに、前記ドライバ情報のセットアップ指示を配信する処理を制御する送信制御工程とを前記情報処理装置に実行させ、
前記送信制御工程では、さらに前記ドライバ情報の印刷処理に関わるプロパティ情報を送信する処理を前記情報処理装置に実行させることを特徴とする制御プログラム。
【請求項２４】
クライアント装置とサーバ装置を含むネットワークシステムにおいて、
ドライバ情報をインストールするクライアント装置を認識する認識手段と、
前記クライアント装置からのドライバ情報の送信要求を待つことなく、ドライバ情報を送信する送信処理を制御する送信制御手段とを有し、
前記送信制御手段は、前記ドライバ情報の印刷処理に関わるプロパティ情報を送信する処理をさらに制御し、
前記送信処理において送信されたセットアップ指示に基づいて、ドライバ情報並びにプロパティ情報を前記クライアント装置に入力する入力手段を有するネットワークシステム。
【手続補正２】
【補正対象書類名】明細書
【補正対象項目名】００１２
【補正方法】変更
【補正の内容】
【００１２】
本願発明の一つの側面は、クライアント装置と通信する情報処理装置において、ドライバ情報をインストールするクライアント装置を認識する認識手段と、前記クライアント装置からのドライバ情報の送信要求を待つことなく、ドライバ情報を送信する処理を制御する送信制御手段とを有し、前記送信制御手段は、前記ドライバ情報のプロパティ情報を送信する処理をさらに制御することを特徴とする情報処理装置であることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】